(57)【要約】【課題】容易に製造することができる付箋収納引出器を提供する。【解決手段】厚紙とプラスチックフィルムとを積層した複合素材６から成る付箋収納引出器本体３を備える。付箋収納引出器本体３が、矩形状表て面部７と、表て面部７の両側縁８，８に各々連設された裏面側矩形半体９，９と、表て面部７の上縁10に連設された上辺タブ11と、表て面部７の下縁12に連設された下辺タブ13と、を備える。付箋収納引出器本体３の表て面部７には、内部に収納した付箋積層体から一枚ずつ付箋を引出すためのスリット孔部15が設けられる。付箋収納引出器本体３の裏面側の左右の矩形半体９，９相互を連結するとともに、上辺タブ11と下辺タブ13を各々矩形半体９に連結して、内部空間に付箋積層体１を内封する矩形状両面粘着片を、付箋収納引出器本体３の裏面に全面的に積層させる。【選択図】図10
2019026369.tif 000002
【特許請求の範囲】
【請求項１】
厚紙（４）とプラスチックフィルム（５）とを積層した複合素材（６）から成る付箋収納引出器本体（３）を備え、該付箋収納引出器本体（３）が、矩形状表て面部（７）と、該表て面部（７）の両側縁（８）（８）に各々連設された裏面側矩形半体（９）（９）と、上記表て面部（７）の上縁（10）に連設された上辺タブ（11）と、上記表て面部（７）の下縁（12）に連設された下辺タブ（13）と、を備え、
上記付箋収納引出器本体（３）の表て面部（７）には、内部に収納した付箋積層体（１）から一枚ずつ付箋（２）を引出すためのスリット孔部（15）が設けられ、
さらに、上記付箋収納引出器本体（３）の裏面（16）側の左右の上記矩形半体（９）（９）相互を連結するとともに、上記上辺タブ（11）と下辺タブ（13）を各々上記矩形半体（９）に連結して、内部空間（17）に付箋積層体（１）を内封する矩形状両面粘着片（18）を、上記付箋収納引出器本体（３）の裏面（16）の略全面に積層させたことを特徴とする付箋収納引出器。
【請求項２】
上記スリット孔部（15）は、一文字スリット部（15ａ）と、該一文字スリット部（15ａ）の両端各々に連設された円孔（15ｂ）（15ｂ）とから成り、上記スリット孔部（15）から引出された付箋（２）が、上記一文字スリット部（15ａ）を形成する可撓片部（20）によって15°以上の傾斜角度（θ）をもって起立状に保持されるように構成した請求項１記載の付箋収納引出器。
【発明の詳細な説明】
【技術分野】
【０００１】
本発明は、付箋収納引出器に関する。
【背景技術】
【０００２】
従来、複数枚の付箋を１枚ずつ取出して用いる付箋収納引出器であって、ノート等に貼付することができるものとして、図15〜図17に示すように、圧手の基台40と、薄いプラスチックフィルムの包装体41によって構成され、内部に付箋積層体42を収納するように構成したものがある（例えば、特許文献１参照）。
【先行技術文献】
【特許文献】
【０００３】
【特許文献１】特許第５９５２５３１号公報
【発明の概要】
【発明が解決しようとする課題】
【０００４】
図15〜図17に示すように、やや厚い紙（又は合成樹脂）から成る長方形の基台40と、薄いプラスチックフィルムの包装体41と、から成り、上記２部材を、接着剤で接着する面倒な工程を要し、しかも、ノート等に貼着するための接着領域の追加加工も必要であった。このように、部品点数が多く、かつ、製造に手間がかかるという問題がある。そこで、本発明は、部品点数が少なく、容易に製造することができる付箋収納引出器を提供することを目的とする。
【課題を解決するための手段】
【０００５】
そこで、本発明に係る付箋収納引出器は、厚紙とプラスチックフィルムとを積層した複合素材から成る付箋収納引出器本体を備え、該付箋収納引出器本体が、矩形状表て面部と、該表て面部の両側縁に各々連設された裏面側矩形半体と、上記表て面部の上縁に連設された上辺タブと、上記表て面部の下縁に連設された下辺タブと、を備え、上記付箋収納引出器本体の表て面部には、内部に収納した付箋積層体から一枚ずつ付箋を引出すためのスリット孔部が設けられ、さらに、上記付箋収納引出器本体の裏面側の左右の上記矩形半体相互を連結するとともに、上記上辺タブと下辺タブを各々上記矩形半体に連結して、内部空間に付箋積層体を内封する矩形状両面粘着片を、上記付箋収納引出器本体の裏面の略全面に積層させたものである。
また、上記スリット孔部は、一文字スリット部と、該一文字スリット部の両端各々に連設された円孔とから成り、上記スリット孔部から引出された付箋が、上記一文字スリット部を形成する可撓片部によって15°以上の傾斜角度をもって起立状に保持されるように構成したものである。
【発明の効果】
【０００６】
本発明の付箋収納引出器によれば、適度の剛性を備え、スムーズに付箋を引き出し易く、部品点数が少なく、容易に製造することができる。
【図面の簡単な説明】
【０００７】
【図１】本発明の第１の実施の形態を示す斜視図である。
【図２】正面図である。
【図３】背面図である。
【図４】スリット孔部周辺を示す図であって、（Ａ）は要部拡大正面図、（Ｂ）はスリット孔部の正面図、（Ｃ）はスリット孔部近傍の正面図、（Ｄ）は図４（Ｃ）のｄ−ｄ断面図である。
【図５】図４のＣ−Ｃ断面図である。
【図６】図５の要部拡大図である。
【図７】図２のＡ−Ａ断面図である。
【図８】図２の端面図であって、（Ａ）は図２のＢ−Ｂ端面図、（Ｂ）は要部拡大端面図である。
【図９】複合素材を示す断面図である。
【図１０】付箋収納引出器本体を示す展開図である。
【図１１】複合素材のハーフカット部分を示す断面図である。
【図１２】第２の実施の形態を示す断面側面図である。
【図１３】端面図である。
【図１４】付箋収納引出器本体を示す展開図である。
【図１５】従来例の包装体を示す展開図である。
【図１６】従来例を示す背面図である。
【図１７】従来例を示す断面図である。
【発明を実施するための形態】
【０００８】
以下、図示の実施の形態に基づいて本発明を詳説する。
図１は、本発明の第１の実施の形態の使用状態を示す。本発明の付箋収納引出器は、ノートＮ等に貼付して使用される。内部空間17（図７・図８参照）に付箋積層体１が付箋２を１枚ずつ引出し可能に収納されている。付箋積層体１は、付箋２が１枚ごとに順次一端側28と他端側29が交互に分離可能に貼着されたものである。
【０００９】
具体的には、図２・図３に示すように、付箋収納引出器本体３を備える。付箋収納引出器本体３は、図９に示すように厚紙４とプラスチックフィルム５とを積層した複合素材６から成る。厚紙４の厚さ寸法ｔ4 を、 0.1mm≦ｔ4 ≦ 0.3mmに設定する。厚さ寸法ｔ4 が上記範囲にある場合、付箋収納引出器本体３が適度な強度及び形状保持性を有する。ｔ4 ＜ 0.1mmの場合、付箋収納引出器本体３が強度不足となる。 0.3mm＜ｔ4 の場合、付箋収納引出器本体３を折畳みにくくなるとともに、形状保持性が低下する。プラスチックフィルム５の厚さ寸法ｔ5 を、0.01mm≦ｔ5 ≦0.06mmに設定する。厚さ寸法ｔ5 が上記範囲にある場合、付箋収納引出器本体３が適度な折曲強度を有しつつ、付箋収納引出器本体３を容易に折曲げることができる。ｔ5 ＜0.01mmの場合、付箋収納引出器本体３の折曲強度が不足する。0.06mm＜ｔ5 の場合、付箋収納引出器本体３を折曲げにくくなる。
【００１０】
図２〜図５、図７、図８、及び、図10に示すように、付箋収納引出器本体３が、矩形状表て面部７と、表て面部７の両側縁８，８に各々連設された裏面側矩形半体９，９と、表て面部７の上縁10に連設された上辺タブ11と、表て面部７の下縁12に連設された下辺タブ13と、を備える。
図10・図11に示すように、付箋収納引出器本体３は、表て面部７の両側縁８，８、上縁10、及び、下縁12に沿って、断面三角溝型折曲げ用ハーフカット14ａを有する。
【００１１】
付箋収納引出器本体３の表て面部７には、内部に収納した付箋積層体１（図７・図８参照）から一枚ずつ付箋２を引出すためのスリット孔部15が設けられる。図４（Ａ）及び図４（Ｂ）に示すように、スリット孔部15は、一文字スリット部15ａと、一文字スリット部15ａの両端各々に連設された円孔15ｂ，15ｂとから成る。なお、本発明に於て、この「円孔」とは、真円状の他に、楕円形状や長円形状も含むものとする。
【００１２】
図４（Ｃ）に示すように、表て面部７の一文字スリット部15ａ近傍に可撓片部20が形成される。図４（Ｃ）に於て、（上側の）可撓片部20を斜線にて示す。図４（Ｄ）に示すように、可撓片部20は、矢印Ｙ方向（上方向）に弯曲変形可能である。図４（Ｄ）に於て、２点鎖線より左側（スリット孔部15側）が、可撓片部20である。
【００１３】
図４〜図６に示すように、スリット孔部15から引出された付箋２が、一文字スリット部15ａを形成する可撓片部20によって15°以上の傾斜角度θをもって起立状に保持されるように構成する。傾斜角度θが15°未満の起立状に保持される場合、付箋２を引き出しづらい虞れがある。なお、図７及び図12に於て、可撓片部20が付箋２を起立状に保持せず断面直線状に描いているが、実際は、図４〜図６に示すように、付箋２に沿って弯曲変形する。
【００１４】
図３、図７、及び、図８に示すように、付箋収納引出器本体３の裏面16側の左右の矩形半体９，９相互を連結するとともに、上辺タブ11と下辺タブ13を各々矩形半体９，９に連結して、内部空間17に付箋積層体１を内封する矩形状両面粘着片18が、付箋収納引出器本体３の裏面16の略全面に積層される。両面粘着片18の強度を、プラスチックフィルム５の強度より大きく設定する。好ましくは、両面粘着片18の強度を、複合素材６の強度より大きく設定する。両面粘着片18によって、ノートＮ（図１参照）等の被貼付面Ｎ0 に貼着可能となる。
【００１５】
両面粘着片18は、付箋収納引出器本体３の裏面16に貼着される第１面21（図８（Ｂ）参照）の粘着力Ｆ1 が、ノートＮ（図１参照）等の被貼付面Ｎ0 に着脱可能として貼着される第２面22の粘着力Ｆ2 よりも十分大きく設定される。具体的には、両面粘着片18は、基材19と、第１面21を有する強粘着層23と、第２面22を有する弱粘着層24とを備える。強粘着層23の「強」と弱粘着層24の「弱」は、強粘着層23と弱粘着層24相互の粘着力の相対的強弱を表す。付箋収納引出器を一旦ノートＮ等に貼付した後、被貼付面Ｎ0 から付箋収納引出器を離脱（剥離）させる際、両面粘着片18が、被貼付面Ｎ0 に残ることなく、付箋収納引出器本体３に貼付されたまま、付箋収納引出器を離脱させることができる。すなわち、付箋収納引出器を、繰返しノートＮ等に貼付・離脱させることが可能となる。そして、上辺タブ11と下辺タブ13と矩形半体９，９は、強い粘着力Ｆ1 の強粘着層23にて、強力に一体連結される。しかも、基材19は強度が大きいので上辺タブ11と下辺タブ13と矩形半体９，９は、強力に一体化できる。
【００１６】
図12〜図14は、第２の実施の形態を示す。裏面側矩形半体９が、側面部25を介して表て面部７に連設される。上辺タブ11が、上面部26を介して表て面部７に連設される。下辺タブ13が、下面部27を介して表て面部７に連設される。各折曲予定部に、ミシン目14ｂを有する。その他の構成は、第１の実施の形態と同様である。
【００１７】
次に、上述の付箋収納引出器の製法について説明する。厚紙４（図11参照）とプラスチックフィルム５を積層させて複合素材６を製造し、図10又は図14に示した展開図の形状に打抜く。他方、付箋２を積層させて付箋積層体１（図７・図８・図12・図13参照）を製造する。付箋積層体１の表て面側の１枚をスリット孔部15に挿通させつつ、付箋積層体１を付箋収納引出器本体３に収納状となるよう付箋収納引出器本体３をハーフカット14ａの位置にて折畳む。その後、付箋収納引出器本体３の裏面16に両面粘着片18を積層する。なお、両面粘着片18の裏面に剥離紙（図示省略）を積層させるのが好ましい。
【００１８】
なお、本発明の図面に於て、厚さ寸法を厚く描いている場合がある。また、矩形半体９の「矩形」は、台形を含むものとする。
【００１９】
本発明は、設計変更可能であって、例えば、第１の実施の形態のハーフカット14ａ（図10参照）の代わりにミシン目14ｂを形成するも良い。また、第２の実施の形態のミシン目14ｂ（図14参照）の代わりにハーフカット14ａを形成するも良い。さらに、ハーフカット14ａの断面形状は、三角溝型の他に、半円溝型ないしＵ字溝型等とするも良い。
【００２０】
また、付箋収納引出器本体３は、裏面側縦方向中央線部を重なり状としても良い。また、スリット孔部15を複数設けるとともに、複数の付箋積層体１を収納して、複数の付箋積層体１から付箋２を並行して引出可能とするも良い。また、複合素材６のプラスチックフィルム５を透明として、厚紙４に印刷を施したものがプラスチックフィルム５を介して視認できるようにするも好ましい。
【００２１】
以上のように、本発明は、厚紙４とプラスチックフィルム５とを積層した複合素材６から成る付箋収納引出器本体３を備え、該付箋収納引出器本体３が、矩形状表て面部７と、該表て面部７の両側縁８，８に各々連設された裏面側矩形半体９，９と、上記表て面部７の上縁10に連設された上辺タブ11と、上記表て面部７の下縁12に連設された下辺タブ13と、を備え、上記付箋収納引出器本体３の表て面部７には、内部に収納した付箋積層体１から一枚ずつ付箋２を引出すためのスリット孔部15が設けられ、さらに、上記付箋収納引出器本体３の裏面16側の左右の上記矩形半体９，９相互を連結するとともに、上記上辺タブ11と下辺タブ13を各々上記矩形半体９に連結して、内部空間17に付箋積層体１を内封する矩形状両面粘着片18を、上記付箋収納引出器本体３の裏面16の略全面に積層させたので、適度の剛性を備え、スムーズに付箋２を引き出し易く、（従来の基台が不要となり）部品点数が少なく、容易に製造することができる。しかも、両面粘着片18によって、上辺タブ11と下辺タブ13と矩形半体９を、裏面にて一体連結でき、簡単に内部空間17を形成することができ、かつ、ノートＮ等の被貼付面Ｎ0 に貼着させる機能をも、付与できる。
【００２２】
また、上記スリット孔部15は、一文字スリット部15ａと、該一文字スリット部15ａの両端各々に連設された円孔15ｂ，15ｂとから成り、上記スリット孔部15から引出された付箋２が、上記一文字スリット部15ａを形成する可撓片部20によって15°以上の傾斜角度θをもって起立状に保持されるように構成したので、付箋２を引出す際、指で掴みやすく、容易に引出すことができる。
【符号の説明】
【００２３】
１  付箋積層体
２  付箋
３  付箋収納引出器本体
４  厚紙
５  プラスチックフィルム
６  複合素材
７  （矩形状）表て面部
８  （両）側縁
９  （裏面側）矩形半体
10  上縁
11  上辺タブ
12  下縁
13  下辺タブ
15  スリット孔部
15ａ  一文字スリット部
15ｂ  円孔
16  裏面
17  内部空間
18  （矩形状）両面粘着片
20  可撓片部
θ  傾斜角度
【図１】
2019026369.tif 000003
【図２】
2019026369.tif 000004
【図３】
2019026369.tif 000005
【図４】
2019026369.tif 000006
【図５】
2019026369.tif 000007
【図６】
2019026369.tif 000008
【図７】
2019026369.tif 000009
【図８】
2019026369.tif 000010
【図９】
2019026369.tif 000011
【図１０】
2019026369.tif 000012
【図１１】
2019026369.tif 000013
【図１２】
2019026369.tif 000014
【図１３】
2019026369.tif 000015
【図１４】
2019026369.tif 000016
【図１５】
2019026369.tif 000017
【図１６】
2019026369.tif 000018
【図１７】
2019026369.tif 000019